(57)【特許請求の範囲】
【請求項１】
細長い筒状の瓶口部と、該瓶口部外周に形成されたネジ部と該ネジ部上方の上方にいくほど先細のテーパーが形成された圧入部とを有する容器本体と、該容器本体に外嵌する合成樹脂製キャップとを具備し、該キャップ内周には、前記瓶口部ネジ部に螺合するネジ部と、前記圧入部に密接するテーパーが形成された密嵌圧入部と、該テーパーに形成されたリング状凹状溝に嵌合したＯリングとを具備し、前記容器本体の材質と前記キャップの材質とは、低温での収縮率が同じか、キャップの収縮率が大きい材質としたことを特徴とする高気密性保存容器。
【請求項２】
前記本体と、内部と連通し得る針挿入孔を頭部に有する前記合成樹脂製キャップと、前記針挿入孔を塞ぐ密閉栓とを具備する、請求項１記載の高気密性保存容器。
【請求項３】
前記密閉栓は、前記キャップ頭部の針挿入孔に螺合する軸部と頭部とから形成され、該頭部下端と前記キャップの頭部上端とがＯリングを介して密接するように構成されている請求項２記載の高気密性保存容器。
【請求項４】
前記針挿入孔が上段と下段とからなり、上段は密閉栓の軸部を受けるための円筒状の密閉栓螺合孔であり、下段は試薬採取針が通る程度の孔径を有する針挿入孔で構成されている、請求項２又は３記載の高気密性保存容器。
【請求項５】
前記密閉栓の軸部下端が、前記針挿入孔を覆うＯリングを有する請求項３又は４に記載の高気密性保存容器。
【請求項６】
前記キャップ内周面上端と前記容器上端とは、パッキンを介して接するように構成されている請求項１〜５のいずれかに記載の高気密性保存容器。
【請求項７】
前記容器本体の材質がガラスで、前記キャップの材質が、テフロン（登録商標）、ポリエチレン樹脂又はピーク樹脂である請求項１〜６のいずれかに記載の高気密保存容器。
【請求項８】
前記容器本体の材質がガラスで、前記キャップの材質がテフロン（登録商標）である請求項１〜６のいずれかに記載の高気密保存容器。
【請求項９】
前記容器本体の材質がガラスで、ネジ部と密嵌圧入部との間には、リング状の溝が形成されている請求項７又は８に記載の高気密保存容器。
【請求項１０】
前記容器本体の材質がガラスで前記キャップの材質をテフロン（登録商標）、ポリエチレン樹脂又はピーク樹脂とし、前記容器本体のネジ部と前記キャップのネジ部とは、ピッチが異なるように形成する請求項９に記載の高気密保存容器。
【発明の詳細な説明】
【技術分野】
【０００１】
この発明は、実験室等で使用される調整標準試薬、揮発性試薬、貴重な試薬等の各種試薬などを保存するのに好適な高気密性保存容器（エアロック容器）に係り、更に詳記すれば、冷凍保存しても高気密が保持される高気密性保存容器に関する。
【背景技術】
【０００２】
従来、この種の保存容器としては、容器本体の口部に大密閉栓の軸部を螺合し、該大密閉栓に形成された注射針挿入孔を塞ぐように小密閉栓の軸部を螺合した高気密性保存容器が提案されている（特許文献１参照）。また、容器本体の口部に密閉栓を嵌入し、該密閉栓には口部に当接するパッキンを装着し、口部外周にはキャップを螺合し、キャップの押圧力でパッキンを押圧する高気密性保存容器も提案されている（特許文献２参照）。
【特許文献１】登録実用新案第３０４９３７２号公報
【特許文献２】登録実用新案第３０６９６５８号公報
【発明の概要】
【発明が解決しようとする課題】
【０００３】
上記高気密性保存容器は、常温で保存する場合は特に大きな問題は生じないが、マイナス２０℃程度に冷凍保存すると、ガラス製の口部に螺合したテフロン（登録商標）製大密閉栓の軸部やガラス製口部に密嵌した密閉栓が収縮して、シール性が悪化する問題が生じた。そればかりか、特許文献１の場合は、常温でも、テフロン（登録商標）製大密閉栓の軸部がガラス製口部内周とのネジ部と擦れて、ゴミ（パーティクル）などが生じて瓶内部へ落下する場合があることが判明した。
【０００４】
この発明のうち請求項１に記載の発明は、マイナス２０℃程度に冷凍保存をしても気密性が悪化しない高気密性保存容器を提供することを目的とする。また、上記従来の高気密性保存容器と比べれば、ゴミなどが実質的に生じない高気密性保存容器を提供することを目的とする。
また請求項２に記載の発明は、上記目的に加えて、使用時においても溶媒の蒸発を防ぐことができる高気密性保存容器を提供することを目的とする。
【０００５】
上記目的に沿う本発明の構成は、細長い筒状の瓶口部と、該瓶口部外周に形成されたネジ部と該ネジ部上方の上方にいくほど先細のテーパーが形成された圧入部とを有する容器本体と、該容器本体に外嵌する合成樹脂製キャップとを具備し、該キャップ内周には、前記瓶口部ネジ部に螺合するネジ部と、前記圧入部に密接するテーパーが形成された密嵌圧入部と、該テーパーに形成されたリング状凹状溝に嵌合したＯリングとを具備し、前記容器本体の材質と前記キャップの材質とは、低温での収縮率が同じか、キャップの収縮率が大きい材質としたことを特徴とする。
【０００６】  前記本体と、内部と連通し得る針挿入孔を頭部に有する前記合成樹脂製キャッ プと、針挿入孔を塞ぐ密閉栓とを具備する、ように構成するのが好ましい（請求項２）。【０００７】  前記密閉栓は、前記キャップ頭部の針挿入孔に螺合する軸部と頭部とから形成され、該頭部下端と前記キャップの頭部上端とがＯリングを介して密接するように構成されているのが好ましい（請求項３）。【０００８】 前記針挿入孔が上段と下段とからなり、上段は密閉栓の軸部を受けるための円筒状の密閉栓螺合孔であり、下段は試薬採取針が通る程度の孔径を有する針挿入孔で構成されているのが好ましい（請求項４）。【０００９】
前記密閉栓の軸部下端が、前記針挿入孔を覆うＯリングを有するのが特に好ましい（請求項５）。
【００１０】
前記キャップ内周面上端と前記容器上端とは、パッキンを介して接するように構成されているのが好ましい（請求項６）。
【００１１】   前記容器本体の材質がガラスで、前記キャップの材質をテフロン（登録商標）とするのが好ましい（請求項７）。 前記容器本体の材質がガラスで前記キャップの材質をテフロン（登録商標）とした場合は、前記容器本体のネジ部と前記キャップのネジ部とは、ピッチが異なるように形成するのが好ましい（請求項１０）。
【発明の効果】
【００１２】
本発明のうち請求項１に記載の発明によれば、容器本体とキャップとの低温での収縮率が同じか、キャップの収縮率が大きい材質としているので、冷凍貯蔵しても高気密性が損なわれないと共に、キャップ内周には、瓶口部ネジ部に螺合するネジ部と、瓶口部圧入部に密接するテーパーが形成された密嵌圧入部と、該テーパーに形成されたリング状凹状溝に嵌合したＯリングとを具備するという従来にない気密構成としたので、従来の高気密性保存容器には見られない著しく優れた高気密性を有する。
また、請求項２に記載の発明によれば、キャップ上端にはシリンジ等の注射針を挿入できる挿入孔を有しており、シリンジ等を用いる場合には該孔より溶媒を取り出すことができるため、使用時においても溶媒の蒸発を防ぐことができる。また、該挿入孔は密閉栓により塞がれるが、該密閉栓がＯリングを具備するようにすれば、該挿入孔においても高気密性を有している。
【図面の簡単な説明】
【００１３】
【図１】本発明の一実施例を示す分解断面図である。
【図２】図１の密閉栓を螺合した状態の断面図である。
【図３】図２のキャップを螺合した状態の断面図である。
【図４】本発明の他の実施例を示す（A）分解断面図、（B）キャップを螺合した状態の断面図である。
【符号の説明】
【００１４】１・・・・・・容器本体２・・・・・・キャップ３・・・・・・密閉栓５・・・・・・瓶口部（首部）６・・・・・・ネジ部７・・・・・・リング状の凹状溝８・・・・・・密嵌圧入部９・・・・・・リング状凹状溝に嵌合したＯリング１０・・・・・瓶口部ネジ部に螺合するネジ部１１・・・・・瓶口部密嵌圧入部に密嵌する密嵌圧入部１２・・・・・針挿入孔１４・・・・・密閉栓螺合孔１９・・・・・キャップの頭部２０・・・・・Ｏリング２３・・・・・Ｏリング
【発明を実施するための最良の形態】
【００１５】
次に、本発明の一実施例を図面に基づいて説明する。
【００１６】  図１に示すように、本発明の高気密性保存容器は、ガラス製の容器本体１と、テフロン（登録商標）製のキャップ２と、テフロン（登録商標）製の密閉栓３とを具備する。容器本体１は、胴部４に細長い筒状の瓶口部（首部）５を連設したものであり、該瓶口部５はその外周に、ネジ部６と、該ネジ部６の上方にリング状の凹状溝７と、更に凹状溝７の上方に、上端に向けて先細のテーパーが形成された密嵌圧入部８とを有する。シール性を高めるため密嵌圧入部８には、ガラス表面を平滑にするすり加工が施されている。このすり加工をするため、リング状の凹状溝７が形成されている。凹状溝７を形成することによって、すり加工でネジ部６を傷つけるのを防止している。瓶口部（首部）の口径は、製造後洗浄の容易性等を考慮すると少なくとも10mm以上であることが好ましい【００１７】
上記容器本体１は、先端に先細のテーパー８とリング状の凹状溝７とネジ部６を形成した瓶口部（首部）５のテーパー８にすり加工を施した後、胴部４と加熱溶着して製造している。胴部４と瓶口部（首部）５の外径が同じ場合には、ネジ部６の下方を胴部４としてその下端を閉鎖することにより製造してもよく、この場合、加熱溶着の必要なく製造することができる。
容器本体１を合成樹脂で形成した場合は、すり加工は不要なので、リング状の凹状溝７も特に設ける必要はない。
【００１８】
容器本体に外嵌するテフロン（登録商標）製キャップ２内周には、瓶口部圧入部８に密嵌する圧入部１１と、その下方の瓶口部ネジ部に螺合するネジ部１０と、前記圧入部１１に形成されたリング状凹状溝に嵌合したＯリング９とを有している。瓶口部圧入部８に圧入部１１が圧入密接した状態で、図３に示すように、Ｏリング９は、完全に前記リング状凹状溝内に埋まって、圧入部１１を押圧シールしている。
【００１９】
瓶口部圧入部８と圧入部１１とは、同一のテーパーに形成されている。上記実施例では１／１０のテーパーに形成されているが、１／５〜１／１５のテーパーに形成するのが好ましい。
【００２０】
このように、ネジ部、テーパーを形成した圧入部及び圧入部に形成したリング状凹状溝に嵌合したＯリングで、瓶口部とキャップとを連結してシールすることは従来行われていない。このようなシール法を採用することによって、従来にないエアロックする優れたシール性が得られる。
【００２１】
瓶口部５に形成されたネジ部６と、キャップ内に形成されたネジ部１０とは、若干（この実施例では０．５）ピッチが異なるように形成されている。このようにピッチを異なるように形成することによって、何回か開閉しても優れたシール性が得られる。これは、実施例では容器本体がガラスで、キャップが４フッ化テフロン（登録商標）であるからであり、キャップが他の硬い材質の場合（例えばキャップが３フッ化テフロン（登録商標）の場合）は、特にピッチを異なるようにしなくとも差し支えない。
【００２２】
キャップの上端が針挿入孔１２を除いて閉鎖した略円筒状の空洞１３は、下端が針挿入孔１２を除いて閉鎖した略円筒状の密閉栓螺合孔１４に連通し得るように形成されている。この実施例では、針挿入孔１２と密閉栓螺合孔１４とで、試薬採取針挿入孔を形成している。針挿入孔１２と密閉栓螺合孔１４とは、同径のものでもよく、また上方にいくほど拡開した孔であっても良い。
針挿入孔１２の孔径は注射針（試薬採取針）が挿入し得る程度の大きさであればよいが、小さすぎると注射針挿入の際に該孔に針が接するおそれがあり、大きすぎると瓶内の溶媒の蒸発量が増えるため、通常１．０〜３．０mmとするのが好ましい。
【００２３】
テフロン（登録商標）製密閉栓３は、密閉栓螺合孔１４のネジ部１５に螺合するネジ部１６を形成した略円柱状軸部１７と該軸部１７より大径の円柱状頭部１８とから形成され、該頭部１８と前記キャップの頭部１９上端とがＯリング２０を介して密接するように構成されている。キャップの頭部１４上端の密閉栓螺合孔１４上端は、図に示すように、Ｏリング２０の部分だけ大きくなった段部２１に形成され、該段部２１上でＯリング２０が押圧されるようになっている。尚、図１〜図３では、密閉栓螺合孔のネジ部１５と該ネジ部に螺合するネジ部１６は省略している。
【００２４】
図１〜図３に示すように、略円柱状軸部１７の下端は小径の短円筒状部２２に形成され、その下端には、Ｏリング２３が接合されている。テフロン（登録商標）製密閉栓３を螺合することによって、Ｏリング２３で針挿入孔１２外周部を押圧シールしている。Ｏリング２３がなく、Ｏリング２０だけでも同様のシール性が得られる。しかし、Ｏリング２３を設けない場合には、容器１を倒したとき、内部の液がここからネジ部１５，１６に浸入し、Ｏリング２０を侵すので、Ｏリング２３の代わりに軸部１７の末端に凸部を設けて針挿入孔１２外周部をシールする等の手段で、針挿入孔１２を塞ぐようにするのが良い。
【００２５】
図４に示すように、Ｏリング２３を設けず、密閉栓３を完全に螺合した状態で、密閉栓３下端が、密閉栓螺合孔１４底面に接するように形成しても差し支えない。また、密閉栓３下端に、針挿入孔１２に密嵌する突起を形成し、該突起で挿入孔１２を塞いでも良い。
【００２６】  図３に示す実施例では、キャップ内周面上端と容器上端とは、密接している。しかしながら、図４（B）に示すように、キャップ内周面上端と容器上端とは、隙間を形成し、この隙間にパッキンを充填し、キャップ内周面上端と容器上端とは、パッキンを介して密接するように構成するのが好ましい。尚、上記実施例ではキャップが針挿入孔を有するため、パッキンを具備する場合には、注射針を挿入し得るように孔を設ける必要がある。該パッキンに設ける孔は、注射針挿入孔と同口径の孔とするのが好ましい。【００２７】
上記実施例では、キャップ２及び密閉栓３の材質として、テフロン（登録商標）を使用している。これは、テフロン（登録商標）が広範な試薬に対する耐性が優れているからである。しかしながら、他の合成樹脂を使用することができる。このような合成樹脂としては、収容する試薬等に応じて、ポリプロピレン、ポリエチレン等、この種試薬の容器の材質として使用されているものは、キャップとしての硬度を保つことができるため、いずれも使用することができる。
【００２８】
上記実施例では、容器本体１として、ガラスを使用しているが、合成樹脂を使用することもできる。合成樹脂としては、収容する試薬等に応じて、キャップ２及び密閉栓３の材質として使用できるものは、いずれも使用することができる。
前記容器本体１の材質と前記キャップの材質とは、低温での収縮率が同じか、キャップの収縮率が大きい材質とする。具体的な組合せとしては、容器本体がガラスでキャップがテフロン（登録商標）の組みあわせ、容器本体がガラスでキャップがポリエチレン樹脂又はピーク樹脂の組みあわせ等が挙げられるが、容器本体がガラスでキャップがテフロン（登録商標）の組みあわせが特に好ましい。尚、ここでいう低温とは、通常５〜−４０℃、好ましくは０〜−３０℃、より好ましくは−１０〜−３０℃を表す。
【００２９】  前記容器本体１の材質をガラスとし、キャップ２及び密閉栓３の材質をテフロン（登録商標）とするのが、あらゆる種類の薬剤に対する耐性が優れていることから好ましい。  上記実施例では、キャップ２には、針挿入孔を形成しているが、試薬採取時の溶媒の蒸発を防止する必要がない場合は、針挿入孔は形成しなくとも良い。この場合は、密閉栓３も勿論必要ではない。試薬を採取するには、通常と同じようにキャップを外して採取すればよい。【００３０】
図１に示す本発明の高気密性試薬瓶の気密性を測定するため、下記条件で溶媒重量の計時変化を測定した。                                                                              
溶媒：ジエチルエーテル又はヘキサン                             
試薬瓶：図１に示す本発明の試薬瓶（10mL用試薬瓶）
冷凍庫（日本フリーザー（株）社製のEP-350FR（機械名）、庫内の温度：−18〜-25℃）で、ジエチルエーテルを充填した本発明の試薬瓶２本と、ヘキサンを充填した本発明の試薬瓶２本を保存し、下表１に記載の経過日数で変化率を測定した。結果を下表１に示す。
【００３１】
【表１】
0005963106.tif 000002
※変化率は、下記計算式
（瓶の全重量−瓶、キャップ及び密閉栓の重量）／溶媒充填量×100
により求めた値である。
また、比較として、同条件でジエチルエーテルを溶媒とし、従来の10mL用試薬瓶（実用新案第3049372号記載の試薬瓶）を用いて、下表２に記載の経過日数で変化率を測定した。結果を下表２に示す。
【００３２】
【表２】
0005963106.tif 000003
上記結果より明らかなごとく、本発明の試薬瓶を冷凍庫内で１ヶ月保存しても、ジエチルエーテル及びヘキサンの重量に有意な変化は認められなかった。一方、従来の試薬瓶を用いて同様にジエチルエーテルを冷凍庫内で１ヶ月保存した場合、−1.10％の重量変化が見られた。よって、本発明の試薬瓶が従来の試薬瓶よりも優れた気密性を有することが判った。
【産業上の利用可能性】
【００３３】
本発明によれば、冷凍貯蔵しても気密性が損なわれないと共に、従来の高気密性保存容器には見られない著しく優れた高気密性を有するので、高気密性を要する試薬の保存容器としての使用が期待される。
【図１】
0005963106.tif 000004
【図２】
0005963106.tif 000005
【図３】
0005963106.tif 000006
【図４】
0005963106.tif 000007